(57)【要約】【課題】  画像情報を送信するだけで各ディスプレイに画像を表示させるか否かを制御することができる表示装置を提供する。【解決手段】  ＰＣ１０は、分割した画像の座標（０，０）の画素の輝度を、ディスプレイ特定用輝度とした画像を表す画像情報を、映像信号インタフェース２を介して、ディスプレイ２０に送信する。ディスプレイ２０は、受信した画像情報によって表される画像を構成する画素のうち、座標（０，０）の画素の輝度が下限の閾値よりも大きく、かつ座標（０，０）の画素の輝度が上限の閾値以下であるとき、受信した画像情報によって表される画像の座標（０，０）の画素の輝度を補正して表示する。ディスプレイ２０は、座標（０，０）の画素の輝度が下限の閾値よりも大きくないとき、または座標（０，０）の画素の輝度が上限の閾値）以下でないとき、表示している画像を更新しない。【選択図】      図１Ａ
2013025201.tif 000002
【特許請求の範囲】
【請求項１】
複数の画素によって構成される画像を表示するための表示画面を有する複数のディスプレイ装置と、各ディスプレイ装置の表示画面に表示させる画像を表す画像情報を各ディスプレイ装置に送信する画像送信装置とを含む表示装置であって、
画像送信装置は、各ディスプレイ装置に送信する画像情報によって表される画像を各ディスプレイ装置に表示させるか否かに応じて、送信する画像情報によって表される画像を構成する画素のうち、表示画面の予め定める位置に表示させるための画素の輝度を決定し、前記予め定める位置に表示させるための画素を前記決定した輝度の画素に置き換え、前記予め定める位置の画素が前記決定した輝度の画素に置き換えられた画像を表す画像情報をディスプレイ装置に送信し、
各ディスプレイ装置は、画像送信装置から画像情報を受信したとき、前記置き換えられた、予め定める位置に表示するための画素の輝度に応じて、受信した画像情報によって表される画像を表示するか否かを制御することを特徴とする表示装置。
【請求項２】
前記各ディスプレイ装置は、前記置き換えられた、予め定める位置に表示するための画素の輝度が予め定める輝度範囲内あるか否かを判定し、前記置き換えられた、予め定める位置に表示するための画素の輝度が予め定める輝度範囲内あるとき、前記受信した画像情報によって表される画像を表示することを特徴とする請求項１に記載の表示装置。
【請求項３】
前記各ディスプレイ装置は、前記受信した画像情報によって表される画像を表示するとき、前記予め定める位置の画素の輝度を前記予め定める位置の画素の周囲の画素の輝度に基づいて変更し、変更した輝度の画素を表示することを特徴とする請求項２に記載の表示装置。
【請求項４】
前記各ディスプレイ装置は、前記受信した画像情報によって表される画像を表示するとき、前記予め定める位置の画素の輝度を予め定める輝度に変更し、変更した輝度の画素を表示することを特徴とする請求項２に記載の表示装置。
【請求項５】
前記予め定める輝度は、輝度「０」であることを特徴とする請求項４に記載の表示装置。
【請求項６】
前記予め定める位置は、表示画面の端部の画素の位置であることを特徴とする請求項１〜５のいずれか１つに記載の表示装置。
【請求項７】
前記複数のディスプレイ装置は、前記画像送信装置からデイジーチェインで接続されることを特徴とする請求項１〜６のいずれか１つに記載の表示装置。
【発明の詳細な説明】
【技術分野】
【０００１】
本発明は、複数のディスプレイを含み、各ディスプレイに画像を表示する表示装置に関する。
【背景技術】
【０００２】
図１７は、従来技術による表示装置９０の接続例を示す図である。表示装置９０は、パーソナルコンピュータ（Personal Computer：以下「ＰＣ」という）９１および複数のディスプレイ９２を含んで構成される。図１７（ａ）は、複数のディスプレイ９２が、映像信号を送信するインタフェースのみで、ＰＣ９１にデイジーチェインで接続されている例である。図１７（ｂ）は、複数のディスプレイ９２が、映像信号を送信するインタフェースのみで、分配器９３を介してＰＣ９１に接続されている例である。表示装置９０は、送信される映像信号を表示するディスプレイ９２を特定するためのインタフェースがない。したがって、表示装置９０は、いずれのディスプレイ９２も、受信する映像信号を表示するので、いずれの映像表示装置も同一の映像を表示することになる。
【０００３】
他の従来技術として、特許文献１に記載される表示システムがある。この表示システムは、映像信号出力装置と複数の映像表示装置とが接続されるマルチディスプレイシステムである。各映像表示装置は、それぞれ異なる映像信号出力インタフェースによって映像信号出力装置に接続される。映像信号出力装置は、いずれか１つの映像信号出力インタフェースを介して映像信号を映像表示装置に出力する。映像信号を受信した映像表示装置は、ディスプレイ識別番号を含んだコマンドを、データ出力インタフェースを介して映像信号出力装置に送信する。これによって、映像信号出力装置は、映像信号出力インタフェースと映像表示装置との接続関係を把握することができる。
【先行技術文献】
【特許文献】
【０００４】
【特許文献１】特開２００６−１８９６３７号公報
【発明の概要】
【発明が解決しようとする課題】
【０００５】
特許文献１に記載される従来技術は、映像信号を送信するための映像信号出力インタフェースの他に、位置関係を把握するために、ディスプレイ識別番号を含んだコマンドを送信するためのデータ出力インタフェースの２系統のインタフェースが必要であり、接続が煩雑になるという問題がある。また、ディスプレイ識別番号は、予め各映像表示装置に設定しておく必要があり、ディスプレイ識別番号を変更することはユーザにとって容易なものではない。
【０００６】
本発明の目的は、画像情報を送信するだけで各ディスプレイに画像を表示させるか否かを制御することができる表示装置を提供することである。
【課題を解決するための手段】
【０００７】
本発明は、複数の画素によって構成される画像を表示するための表示画面を有する複数のディスプレイ装置と、各ディスプレイ装置の表示画面に表示させる画像を表す画像情報を各ディスプレイ装置に送信する画像送信装置とを含む表示装置であって、
画像送信装置は、各ディスプレイ装置に送信する画像情報によって表される画像を各ディスプレイ装置に表示させるか否かに応じて、送信する画像情報によって表される画像を構成する画素のうち、表示画面の予め定める位置に表示させるための画素の輝度を決定し、前記予め定める位置に表示させるための画素を前記決定した輝度の画素に置き換え、前記予め定める位置の画素が前記決定した輝度の画素に置き換えられた画像を表す画像情報をディスプレイ装置に送信し、
各ディスプレイ装置は、画像送信装置から画像情報を受信したとき、前記置き換えられた、予め定める位置に表示するための画素の輝度に応じて、受信した画像情報によって表される画像を表示するか否かを制御することを特徴とする表示装置である。
【０００８】
また本発明は、前記各ディスプレイ装置は、前記置き換えられた、予め定める位置に表示するための画素の輝度が予め定める輝度範囲内あるか否かを判定し、前記置き換えられた、予め定める位置に表示するための画素の輝度が予め定める輝度範囲内あるとき、前記受信した画像情報によって表される画像を表示することを特徴とする。
【０００９】
また本発明は、前記各ディスプレイ装置は、前記受信した画像情報によって表される画像を表示するとき、前記予め定める位置の画素の輝度を前記予め定める位置の画素の周囲の画素の輝度に基づいて変更し、変更した輝度の画素を表示する。
【００１０】
また本発明は、前記各ディスプレイ装置は、前記受信した画像情報によって表される画像を表示するとき、前記予め定める位置の画素の輝度を予め定める輝度に変更し、変更した輝度の画素を表示することを特徴とする。
【００１１】
また本発明は、前記予め定める輝度は、輝度「０」であることを特徴とする。
【００１２】
また本発明は、前記予め定める位置は、表示画面の端部の画素の位置であることを特徴とする。
【００１３】
また本発明は、前記複数のディスプレイ装置は、前記画像送信装置からデイジーチェインで接続されることを特徴とする。
【発明の効果】
【００１４】
本発明によれば、表示装置は、複数の画素によって構成される画像を表示するための表示画面を有する複数のディスプレイ装置と、各ディスプレイ装置の表示画面に表示させる画像を表す画像情報を各ディスプレイ装置に送信する画像送信装置とを含む。画像送信装置は、各ディスプレイ装置に送信する画像情報によって表される画像を各ディスプレイ装置に表示させるか否かに応じて、送信する画像情報によって表される画像を構成する画素うち、表示画面の予め定める位置に表示させるための画素の輝度を決定し、前記予め定める位置に表示させるための画素を前記決定した輝度の画素に置き換え、前記予め定める位置の画素が前記決定した輝度の画素に置き換えられた画像を表す画像情報をディスプレイ装置に送信する。そして、各ディスプレイ装置は、画像送信装置から画像情報を受信したとき、前記置き換えられた、予め定める位置に表示するための画素の輝度に応じて、受信した画像情報によって表される画像を表示するか否かを制御する。したがって、画像送信装置は、画像情報を送信するだけで各ディスプレイに画像を表示させるか否かを制御することができる。
【００１５】
また本発明によれば、前記各ディスプレイ装置は、前記置き換えられた、予め定める位置に表示するための画素の輝度が予め定める輝度範囲内あるか否かを判定し、前記置き換えられた、予め定める位置に表示するための画素の輝度が予め定める輝度範囲内あるとき、前記受信した画像情報によって表される画像を表示する。したがって、表示装置は、予め定める輝度範囲をディスプレイごとに定めることによって、各ディスプレイを個々に制御することができる。
【００１６】
また本発明によれば、前記各ディスプレイ装置は、前記受信した画像情報によって表される画像を表示するとき、前記予め定める位置の画素の輝度を前記予め定める位置の画素の周囲の画素の輝度に基づいて変更し、変更した輝度の画素を表示する。したがって、表示装置は、特定位置の画素の輝度と周囲の画素の輝度との違和感を無くすることができる。
【００１７】
また本発明によれば、前記各ディスプレイ装置は、前記受信した画像情報によって表される画像を表示するとき、前記予め定める位置の画素の輝度を予め定める輝度に変更し、変更した輝度の画素を表示する。したがって、表示装置は、予め定める位置の画素の輝度の変更を、周囲の画素の輝度に基づいて変更する場合よりも、短時間に行うことができる。
【００１８】
また本発明によれば、前記予め定める輝度は、輝度「０」である。したがって、表示装置は、周囲の画素の輝度との違和感をより低減することができる。
【００１９】
また本発明によれば、前記予め定める位置は、表示画面の端部の画素の位置である。したがって、表示装置は、画像全体の中での影響をより低減することができる。
【００２０】
また本発明によれば、前記複数のディスプレイ装置は、前記画像送信装置からデイジーチェインで接続される。したがって、表示装置は、画像送信装置側の接続数を１つにすることができる。
【図面の簡単な説明】
【００２１】
【図１Ａ】本発明の一実施形態である表示システム１の構成例を示す図である。
【図１Ｂ】本発明の一実施形態である表示システム１の構成例を示す図である。
【図２】ＰＣ１０の構成を示すブロック図である。
【図３】ディスプレイ２０の構成を示すブロック図である。
【図４】ディスプレイ受信設定メニュー５５の一例を示す図である。
【図５】ディスプレイ特定用座標６１を説明するための図である。
【図６】マルチディスプレイ構成の表示システム１ａ，１ｃに表示するための画像６２の一例を示す図である。
【図７】画像６２を等分に９分割した分割画像の一例を示す図である。
【図８】各ディスプレイ２０に表示された分割画像の一例を示す図である。
【図９】スタンドアローン構成の表示システム１ｂ，１ｄに表示するための画像６５の一例を示す図である。
【図１０】すべてのディスプレイ２０に表示させた画像６５の一例を示す図である。
【図１１】スタンドアローン構成の表示システム１ｂ，１ｄに表示するための９個の画像７１〜７９の一例を示す図である。
【図１２】各ディスプレイ２０ａ〜２０ｉに表示させた画像７１〜７９の一例を示す図である。
【図１３】ディスプレイ特定用座標６１に表示させる画素の輝度の算出方法を説明するための図である。
【図１４】ＰＣ１０が処理する画像送信処理の処理手順を示すフローチャートである。
【図１５】ＰＣ１０が処理する画像送信処理の処理手順を示すフローチャートである。
【図１６】ディスプレイ２０が処理する画像表示処理の処理手順を示すフローチャートである。
【図１７】従来技術による表示装置９０の接続例を示す図である。
【発明を実施するための形態】
【００２２】
図１Ａ，図１Ｂは、本発明の一実施形態である表示システム１の構成例を示す図である。表示装置である表示システム１は、パーソナルコンピュータ（Personal Computer：以下「ＰＣ」という）１０と、複数のディスプレイ２０とを含んで構成される。図１Ａ，図１Ｂには、１台のＰＣ１０に９台のディスプレイ２０ａ〜２０ｉが接続された表示システム１の４つの例を示している。
【００２３】
図１Ａ（ａ）は、９面マルチディスプレイ構成の表示システム１ａの一例を示す図である。表示システム１ａは、９台のディスプレイ２０ａ〜２０ｉをデイジーチェインでＰＣ１０に接続したマルチディスプレイ構成である。デイジーチェイン接続は、いわゆるいもずる接続のことである。表示システム１ａは、９台のディスプレイ２０ａ〜２０ｉを縦３段横３列に配置したマルチディスプレイ構成である。図１Ａ（ｂ）は、スタンドアローン構成の表示システム１ｂの一例を示す図である。表示システム１ｂは、９台のディスプレイ２０ａ〜２０ｉをそれぞれ独立させて配置し、デイジーチェインでＰＣ１０に接続したスタンドアローン構成である。
【００２４】
９面マルチディスプレイ構成での配置は、各ディスプレイ２０の表示画面に向かって、最上段左端がディスプレイ２０ａであり、最上段中央がディスプレイ２０ｂであり、最上段右端がディスプレイ２０ｃであり、中段左端がディスプレイ２０ｄであり、中段中央がディスプレイ２０ｅであり、中段右端がディスプレイ２０ｆであり、最下段左端がディスプレイ２０ｇであり、最下段中央がディスプレイ２０ｈであり、最下段右端がディスプレイ２０ｉである。
【００２５】
表示システム１ａ，１ｂでは、９台のディスプレイ２０ａ〜２０ｉが、ＰＣ１０から、ディスプレイ２０ａ、ディスプレイ２０ｂ、ディスプレイ２０ｃ、ディスプレイ２０ｄ、ディスプレイ２０ｅ、ディスプレイ２０ｆ、ディスプレイ２０ｇ、ディスプレイ２０ｈ、およびディスプレイ２０ｉの順にデイジーチェインで接続されている。
【００２６】
表示システム１ａ，１ｂは、９台のディスプレイ２０ａ〜２０ｉを、映像信号インタフェース２と、ＲＳ−２３２Ｃ（Recommended Standard 232 version C）インタフェース３との２つのインタフェースによってデイジーチェインで接続している。映像信号インタフェース２は、画像情報を送受信するためのインタフェースである。ＲＳ−２３２Ｃインタフェース３は、ディスプレイ２０ａ〜２０ｉの初期設定を行うための制御情報などの情報を送受信するためのインタフェースである。
【００２７】
図１Ｂ（ｃ）は、分配器４ｃを用いた９面マルチディスプレイ構成の表示システム１ｃの一例を示す図である。表示システム１ｃは、ＲＳ−２３２Ｃインタフェース３については、図１Ａ（ａ）に示した表示システム１ａと同様にデイジーチェインで接続しているが、映像信号インタフェース２については、分配器４ｃを用いて分配して、各ディスプレイ２０ａ〜２０ｉにパラレルに接続している。
【００２８】
図１Ｂ（ｄ）は、分配器４ｄを用いたスタンドアローン構成の表示システム１ｄの一例を示す図である。表示システム１ｄは、ＲＳ−２３２Ｃインタフェース３については、図１Ａ（ｂ）に示した表示システム１ｂと同様にデイジーチェインで接続しているが、映像信号インタフェース２については、分配器４ｄを用いて分配して、各ディスプレイ２０ａ〜２０ｉにパラレルに接続している。
【００２９】
表示システム１ａ，１ｃでは、ＰＣ１０が１つの画像を９つに分割し、分割した９つの分割画像を、それぞれのディスプレイ２０ａ〜２０ｉに送信して、各ディスプレイ２０ａ〜２０ｉに表示させることによって、９台のディスプレイ２０ａ〜２０ｉ全体で、分割前の１つの画像として表示することができる。また、表示システム１ａ，１ｃは、それぞれのディスプレイ２０ａ〜２０ｉに、相互に異なる画像を表示することもできるし、同じ画像を表示することもできる。
【００３０】
表示システム１ｂ，１ｄでは、ＰＣ１０は、画像を、分割することなく、各ディスプレイ２０ａ〜２０ｉに送信して、各ディスプレイ２０ａ〜２０ｉに表示させる。すなわち、表示システム１ｂ，１ｄでは、各ディスプレイ２０ａ〜２０ｉに表示される画像は、相互に異なる画像であってもよいし、同じ画像であってもよい。以下、表示システム１ａ〜１ｄを総称して、表示システム１といい、ディスプレイ２０ａ〜２０ｉを総称して、ディスプレイ２０という。
【００３１】
図２は、ＰＣ１０の構成を示すブロック図である。画像送信装置であるＰＣ１０は、たとえばパーソナルコンピュータなどのコンピュータによって構成される。ＰＣ１０は、ＰＣバスコネクタ１１、画像メモリ１２、グラフィックコントローラ１３、ディスプレイ特定用輝度重畳部１４、デジタルアナログ（Digital-to-Analog：以下「Ｄ／Ａ」という）コンバータ１５、ＤＶＩ（Digital Visual Interface）／ＨＤＭＩ（High-Definition Multimedia Interface）用トランスミッタ集積回路（Integrated Circuit：以下「ＩＣ」という）１６、アナログ信号出力コネクタ１７、デジタル信号出力コネクタ１８、ディスプレイ指定部１９、図示しないＲＳ−２３２ＣドライバＩＣ、図示しないＲＳ−２３２Ｃ入力用コネクタおよび図示しないＲＳ−２３２Ｃ出力用コネクタを含んで構成される。
【００３２】
ＰＣバスコネクタ１１は、他の装置とデータの送受信を行うための接続部である。ＰＣバスコネクタ１１は、他の装置から受信したデータをグラフィックコントローラ１３に送る。画像メモリ１２は、たとえば半導体メモリなどによって構成される記憶装置であり、画像情報を記憶する。グラフィックコントローラ１３は、ＰＣバスコネクタ１１から受け取った画像情報を画像メモリ１２に書き込み、また画像メモリ１２に記憶されている画像情報を読み出して、ディスプレイ特定用輝度重畳部１４に送る。
【００３３】
ディスプレイ指定部１９は、マルチディスプレイ構成および画像情報を送信するディスプレイ２０が配置される位置に基づいて、ディスプレイ特定用輝度情報を生成し、生成したディスプレイ特定用輝度情報をディスプレイ特定用輝度重畳部１４に送る。ディスプレイ特定用輝度情報は、画像情報を受信したディスプレイ２０に、受信した画像情報によって表される画像を表示するか否かを指示する情報である。ディスプレイ特定用輝度情報は、ディスプレイ２０に送信する画像情報を構成する画素のうち、予め定める位置の画素の輝度によって表される情報である。ディスプレイ指定部１９は、マルチディスプレイを構成するディスプレイ２０の数、および画像情報を表示するディスプレイ２０のマルチディスプレイ構成内で配置される位置に基づいて、後述するディスプレイ特定用座標６１の位置の画素の輝度を計算する。
【００３４】
ディスプレイ特定用輝度重畳部１４は、グラフィックコントローラ１３から受け取った画像情報によって表される画像を構成する画素のうち、予め定める位置である後述するディスプレイ特定用座標６１、たとえば座標（０，０）の画素の輝度を、ディスプレイ指定部１９から受け取ったディスプレイ特定用輝度情報が示す輝度に変更する。そして、ディスプレイ特定用輝度重畳部１４は、予め定める位置の画素の輝度が変更された画像情報を、Ｄ／Ａコンバータ１５またはＤＶＩ／ＨＤＭＩトランスミッタＩＣ１６に送る。座標（０，０）は、ディスプレイ２０の表示画面に向かって、表示画面の左上を原点とし、右横方向をＸ軸の正方向、および下縦方向をＹ軸の正方向とするＸＹ座標で表される原点（０，０）の位置である。
【００３５】
Ｄ／Ａコンバータ１５は、ディスプレイ特定用輝度重畳部１４から受け取るデジタル信号の画像情報をアナログ信号の映像信号に変換する。ＤＶＩ／ＨＤＭＩトランスミッタＩＣ１６は、ディスプレイ特定用輝度重畳部１４から受け取る画像情報をデジタル信号の映像信号に変換する。アナログ信号出力コネクタ１７は、アナログ信号による映像信号インタフェース２を接続するための接続部であり、Ｄ／Ａコンバータ１５で変換されたアナログ信号の映像信号を出力する。デジタル信号出力コネクタ１８は、デジタル信号による映像信号インタフェース２を接続するための接続部であり、ＤＶＩ／ＨＤＭＩトランスミッタＩＣ１６で変換されたデジタル信号の映像信号を出力する。アナログ信号による映像信号インタフェース２を用いるか、デジタル信号による映像信号インタフェース２を用いるかは、各表示システム１の構成によって予め決められる。
【００３６】
図示しないＲＳ−２３２Ｃ入力用コネクタおよび図示しないＲＳ−２３２Ｃ出力用コネクタは、ＲＳ−２３２Ｃインタフェース３を接続するための接続部である。図示しないＲＳ−２３２ＣドライバＩＣは、ＲＳ−２３２Ｃインタフェース３で制御情報などの情報を送受信するトランスミッタレシーバである。
【００３７】
図３は、ディスプレイ２０の構成を示すブロック図である。ディスプレイ２０は、たとえば液晶ディスプレイなどによって構成され、複数の画素によって構成される画像を表示画面に表示する装置である。
【００３８】
ディスプレイ装置であるディスプレイ２０は、デジタル信号出力コネクタ２１、デジタル信号入力コネクタ２２、ＤＶＩ／ＨＤＭＩトランスミッタＩＣ２３、ＤＶＩ／ＨＤＭＩレシーバＩＣ２４、アナログ信号入力コネクタ２５、アナログ信号出力コネクタ２６、アナログ信号用バッファＩＣ２７，２８、アナログデジタルコンバータ（Analog-to-Digital Converter：以下「ＡＤＣ」という）２９、ＰＬＬ（Phase Locked Loop）３０、セレクタ３１〜３３、検出用座標指定部３４、輝度検出部３５、画像メモリ３６、メモリコントローラ３７、イメージプロセッサ３８、内蔵マイクロコンピュータ（以下「マイコン」という）３９、ＲＯＭ（Read Only Memory）４０、ＲＡＭ（Random Access Memory）４１、内部バス４２、ＩＲ（Infrared）４３、フラッシュメモリ４４、ＲＳ−２３２ＣドライバＩＣ４５，４６、ＲＳ−２３２Ｃ入力用コネクタ４７、ＲＳ−２３２Ｃ出力用コネクタ４８、ＬＶＤＳ（Low Voltage Differential Signaling）４９、表示部５０、ローカルエリアネットワーク（Local Area Network：略称「ＬＡＮ」）制御用ＩＣ５１およびＬＡＮコネクタ５２を含んで構成される。
【００３９】
デジタル信号入力コネクタ２２は、デジタル信号による映像信号インタフェース２を接続するための接続部であり、前段のＰＣ１０またはディスプレイ２０からのデジタル信号の映像信号が入力される。デジタル信号出力コネクタ２１は、デジタル信号による映像信号インタフェース２を接続するための接続部であり、後段のディスプレイ２０へデジタル信号の映像信号を出力する。ＤＶＩ／ＨＤＭＩトランスミッタＩＣ２３は、ＤＶＩ／ＨＤＭＩレシーバＩＣ２４から受け取るＤａｔａ信号、ＨＳ／ＶＳ信号、およびＣｌｏｃｋ信号を、デジタル信号の映像信号に変換し、デジタル信号出力コネクタ２１に送る。Ｄａｔａ信号は、画素ごとの輝度を表す信号であり、ＨＳ／ＶＳ信号は、各画素の座標を表す信号であり、Ｃｌｏｃｋ信号は、各画素の送受信のタイミングを表すクロック信号である。ＤＶＩ／ＨＤＭＩレシーバＩＣ２４は、デジタル信号入力コネクタ２２からのデジタル信号の映像信号を、Ｄａｔａ信号、ＨＳ／ＶＳ信号、およびＣｌｏｃｋ信号に変換し、ＤＶＩ／ＨＤＭＩトランスミッタＩＣ２３、およびイメージプロセッサ３８に送り、さらに、Ｄａｔａ信号をセレクタ３３に、ＨＳ／ＶＳ信号をセレクタ３２に、そして、Ｃｌｏｃｋ信号をセレクタ３１に送る。
【００４０】
アナログ信号入力コネクタ２５は、アナログ信号による映像信号インタフェース２を接続するための接続部であり、前段のＰＣ１０またはディスプレイ２０からのアナログ信号による映像信号が入力される。アナログ信号入力コネクタ２５は、入力されたアナログ信号のうちＤａｔａ信号を、アナログ信号用バッファＩＣ２８およびＡＤＣ２９に送り、入力されたアナログ信号のうちＨＳ／ＶＳ信号を、アナログ信号用バッファＩＣ２７、セレクタ３２、およびイメージプロセッサ３８に送る。
【００４１】
アナログ信号出力コネクタ２６は、アナログ信号による映像信号インタフェース２を接続するための接続部であり、後段のディスプレイ２０へアナログ信号の映像信号を出力する。アナログ信号出力コネクタ２６は、アナログ信号用バッファＩＣ２７からのＨＳ／ＶＳ信号、およびアナログ信号用バッファＩＣ２８からのＤａｔａ信号を、アナログ信号の映像信号として出力する。アナログ信号用バッファＩＣ２７は、アナログ信号入力コネクタ２５からのＨＳ／ＶＳ信号を増幅し、アナログ信号出力コネクタ２６に送る。アナログ信号用バッファＩＣ２８は、アナログ信号入力コネクタ２５からのＤａｔａ信号を増幅し、アナログ信号出力コネクタ２６に送る。
【００４２】
ＡＤＣ２９は、アナログ信号入力コネクタ２５からのアナログ信号のうちのＤａｔａ信号を、デジタル信号に変換し、セレクタ３３およびイメージプロセッサ３８に送る。ＰＬＬ３０は、アナログ信号入力コネクタ２５からのＨＳ／ＶＳ信号からＣｌｏｃｋ信号を生成し、生成したＣｌｏｃｋ信号をセレクタ３１、およびイメージプロセッサ３８に送る。
【００４３】
セレクタ３１は、内蔵マイコン３９からの指示に応じて、ＤＶＩ／ＨＤＭＩレシーバＩＣ２４からのＣｌｏｃｋ信号、およびＰＬＬ３０からのＣｌｏｃｋ信号のうちのいずれかのＣｌｏｃｋ信号を、検出用座標指定部３４に送る。セレクタ３２は、内蔵マイコン３９からの指示に応じて、ＤＶＩ／ＨＤＭＩレシーバＩＣ２４からのＨＳ／ＶＳ信号、およびアナログ信号入力コネクタ２５からのＨＳ／ＶＳ信号のうちのいずれかのＨＳ／ＶＳ信号を、検出用座標指定部３４に送る。セレクタ３３は、内蔵マイコン３９からの指示に応じて、ＤＶＩ／ＨＤＭＩレシーバＩＣ２４からのＤａｔａ信号、およびＡＤＣ２９からＤａｔａ信号のうちのいずれかのＤａｔａ信号を、輝度検出部３５に送る。
【００４４】
検出用座標指定部３４は、Ｄａｔａ信号によって送られてくる各画素が、予め定める位置の画素であるか否かを、ＨＳ／ＶＳ信号に基づいて判定し、Ｄａｔａ信号によって送られてくる画素が予め定める位置にある画素であると判定したとき、その旨を輝度検出部３５に知らせる。輝度検出部３５は、Ｄａｔａ信号によって示される各画素うち、検出用座標指定部３４から予め定める位置である旨が知らされたときの画素の輝度を検出し、検出した輝度を表す輝度データを、内部バス４２によって内蔵マイコン３９に知らせる。
【００４５】
画像メモリ３６は、たとえば半導体メモリなどの記憶装置によって構成され、画像情報を記憶する。画像メモリ３６に記憶される画像情報は、メモリコントローラ３７によって、書き込みおよび読み出しが行われる。メモリコントローラ３７は、イメージプロセッサ３８からの指示によって、イメージプロセッサ３８から受け取る画像情報を画像メモリ３６に書き込み、また、イメージプロセッサ３８からの指示によって、画像メモリ３６から読み出した画像情報を、イメージプロセッサ３８に送る。
【００４６】
イメージプロセッサ３８は、ＤＶＩ／ＨＤＭＩレシーバＩＣ２４からのＤａｔａ信号、ＨＳ／ＶＳ信号およびＣｌｏｃｋ信号、またＡＤ２９からのＤａｔａ信号、アナログ信号入力コネクタ２５からのＨＳ／ＶＳ信号、およびＰＬＬ３０からのＣｌｏｃｋ信号に基づいて、画像情報を抽出し、抽出した画像情報を、メモリコントローラ３７を介して画像メモリ３６に書き込む。イメージプロセッサ３８は、内蔵マイコン３９から画像情報の表示を指示されると、画像メモリ３６から画像情報を読み出し、読み出した画像情報を表示部５０の表示形式に変換して、ＬＶＤＳ４９に送る。内蔵マイコン３９は、画像情報を受信し終わったとき、輝度検出部３５から知らされた輝度データが示す輝度が、予め定める輝度範囲内にあるか否かを判定し、予め定める輝度範囲内にあるとき、画像メモリ３６に記憶される画像情報を表示部５０に表示するように指示する。
【００４７】
ＲＯＭ４０は、内蔵マイコン３９で実行されるプログラムが記憶される。ＲＡＭ４１は、内蔵マイコン３９がＲＯＭ４０に記憶されるプログラムを実行するために必要な情報を一時的に記憶するための記憶装置である。内部バス４２は、内蔵マイコン３９、ＲＯＭ４０、ＲＡＭ４１および輝度検出部３５のそれぞれの間で相互に情報を送受信するためのデータバスである。
【００４８】
ＩＲ４３は、図示しないリモートコントローラ（以下「リモコン」という）と、赤外線通信を行うための通信装置である。フラッシュメモリ４４は、たとえば、フラッシュメモリによって構成される記憶装置であり、予め設定される情報を記憶する。予め設定される情報には、マルチディスプレイ構成に関する情報、および予め定める輝度範囲などの情報が含まれる。
【００４９】
ＲＳ−２３２ＣドライバＩＣ４５，４６は、ＲＳ−２３２Ｃインタフェース３を介して、制御情報などの情報を送受信するためのトランスミッタレシーバである。ＲＳ−２３２ＣドライバＩＣ４５は、ＲＳ−２３２Ｃ入力用コネクタ４７に入力された情報を内蔵マイコン３９に送る。ＲＳ−２３２ＣドライバＩＣ４６は、内蔵マイコン３９から受け取る情報をＲＳ−２３２Ｃ出力用コネクタ４８に送る。ＲＳ−２３２Ｃ入力用コネクタ４７は、ＲＳ−２３２Ｃインタフェース３を接続するための接続部であり、前段のＰＣ１０またはディスプレイ２０からの情報が入力される。ＲＳ−２３２Ｃ出力用コネクタ４８は、ＲＳ−２３２Ｃインタフェース３を接続するための接続部であり、ＲＳ−２３２ＣドライバＩＣ４６から受け取る情報を後段のディスプレイ２０に送る。
【００５０】
ＬＶＤＳ４９は、イメージプロセッサ３８から受け取る画像情報を表示部５０に送り、画像を表示するように表示部５０を駆動するドライバである。表示部５０は、複数の画素によって構成される画像を表示するための表示画面を有するモニタである。表示部５０の表示画面は、横１９２０画素および縦１０８０画素の画面である。ＬＡＮ制御用ＩＣ５１は、内蔵マイコン３９からの情報を、ＬＡＮを介して送受信するトランスミッタレシーバである。ＬＡＮコネクタ５２は、ＬＡＮを接続するための接続部である。
【００５１】
図４は、ディスプレイ受信設定メニュー５５の一例を示す図である。ディスプレイ受信設定メニュー５５は、マルチディスプレイ構成に関する情報の設定するためのメニュー画面であり、各ディスプレイ２０の表示部５０に表示される。
【００５２】
図４（ａ）は、ディスプレイ受信設定メニュー５５の初期画面である。ディスプレイ受信設定メニュー５５には、「ディスプレイ受信設定メニュー」というタイトルが表示され、「水平ディスプレイ構成数」入力欄５５１、「垂直ディスプレイ構成数」入力欄５５２、および「ディスプレイＮｏ．」入力欄５５３が設けられている。
【００５３】
「水平ディスプレイ構成数」入力欄５５１は、マルチディスプレイを構成するディスプレイ２０の水平方向の数、つまり列数を入力するための欄である。「垂直ディスプレイ構成数」入力欄５５２は、マルチディスプレイを構成するディスプレイ２０の垂直方向の数、つまり段数を入力するための欄である。「ディスプレイＮｏ．」入力欄５５３は、マルチディスプレイの中における当該ディスプレイ２０の位置を示す番号を入力するための欄である。
【００５４】
９面にマルチディスプレイの場合、「ディスプレイＮｏ．」は、表示画面に向かって、最上段左端の番号が「１」であり、最上段中央が「２」であり、最上段右端が「３」であり、中段左端が「４」であり、中段中央が「５」であり、中段右端が「６」であり、下段左端が「７」であり、下段中央が「８」であり、下段右端が「９」である。
【００５５】
初期画面では、「水平ディスプレイ構成数」入力欄５５１、「垂直ディスプレイ構成数」入力欄５５２、および「ディスプレイＮｏ．」入力欄５５３のいずれにも「０」が設定されている。ユーザは、図示しないリモコンによって、設定する入力欄を選択し、選択した入力欄に数字を入力する。
【００５６】
図４（ｂ）は、「水平ディスプレイ構成数」および「垂直ディスプレイ構成数」が設定されたディスプレイ受信設定メニュー５５ａの一例を示す図である。「水平ディスプレイ構成数」入力欄５５１には、「３」が設定され、「垂直ディスプレイ構成数」入力欄５５２には、「３」が設定されている。
【００５７】
図４（ｃ）は、「ディスプレイＮｏ．」入力欄５５３が選択されたディスプレイ受信設定メニュー５５ｂの一例を示す図である。「ディスプレイＮｏ．」入力欄５５３は、まだ初期画面での値である「０」が設定されている。図４（ｄ）は、「ディスプレイＮｏ．」入力欄５５３に値を設定したディスプレイ受信設定メニュー５５ｃの一例を示す図である。「ディスプレイＮｏ．」入力欄５５３には、「１」が設定されている。
【００５８】
マルチディスプレイを管理する管理者は、マルチディスプレイ構成を構築したとき、マルチディスプレイを構成するすべてのディスプレイ２０について、各ディスプレイ２０のディスプレイ受信設定メニュー５５で、マルチディスプレイ構成に関する情報の設定を行う。
【００５９】
図５は、ディスプレイ特定用座標６１を説明するための図である。ディスプレイ特定用座標６１は、表示画面６０をＸＹ座標で表したとき、たとえば座標（０，０）の位置である。
【００６０】
ＰＣ１０は、各ディスプレイ２０に送信する画像情報によって表される画像を構成する画素のうち、ディスプレイ特定用座標６１が示す位置の画素の輝度によって、送信する画像情報によって表される画像を各ディスプレイ２０に表示させるか否かを指示する。叙述したディスプレイ特定用輝度情報によって表される輝度が、送信する画像情報によって表される画像を各ディスプレイ２０に表示させるか否かを指示する輝度である。以下、ディスプレイ特定用輝度情報によって表される輝度のことを、ディスプレイ特定用輝度という。
【００６１】
ディスプレイ特定用輝度には、すべてのディスプレイ２０共通に定められる共通輝度と、個々のディスプレイ２０ごとに定められる個別輝度とがある。ＰＣ１０は、すべてのディスプレイ２０に同じ画像を表示させる場合、共通輝度を用い、個々のディスプレイ２０ごとに相互に異なる画像を表示させる場合、個別輝度を用いる。
【００６２】
以下、画素の輝度を、「１」から「２５６」までの２５６段階で表わす場合を例にして説明する。表示システム１では、たとえば共通輝度は、「１２．８」であり、ディスプレイＮｏ．１のディスプレイ２０ａの個別輝度は、「３８．４」であり、ディスプレイＮｏ．２のディスプレイ２０ｂの個別輝度は、「６４」であり、ディスプレイＮｏ．３のディスプレイ２０ｃの個別輝度は、「８９．６」であり、ディスプレイＮｏ．４のディスプレイ２０ｄの個別輝度は、「１１５．２」であり、ディスプレイＮｏ．５のディスプレイ２０ｅの個別輝度は、「１４０．８」であり、ディスプレイＮｏ．６のディスプレイ２０ｆの個別輝度は、「１６６．４」であり、ディスプレイＮｏ．７のディスプレイ２０ｇの個別輝度は、「１９２」であり、ディスプレイＮｏ．８のディスプレイ２０ｈの個別輝度は、「２１７．６」であり、ディスプレイＮｏ．９のディスプレイ２０ｉの個別輝度は、「２４３．２」である。
【００６３】
また、各ディスプレイ２０は、受信した画像情報によって表される画像を構成する画素のうち、ディスプレイ特定用座標６１の位置の画素の輝度が予め定める輝度範囲内であるか否かによって、受信した画像情報によって表される画像を表示するか否かを判定する。予め定める輝度範囲には、すべてのディスプレイ２０に対して共通に定められる共通輝度範囲と、個々のディスプレイ２０ごとに定められる個別輝度範囲とがある。たとえば、各ディスプレイ２０には、共通輝度範囲と、そのディスプレイ２０用の個別輝度範囲とが、フラッシュメモリ４４に設定されている。各ディスプレイ２０は、ディスプレイ特定用座標６１の位置の画素の輝度が、共通輝度範囲内であるとき、またはそのディスプレイ２０用の個別輝度範囲内であるとき、受信した画像情報によって表される画像を表示する。
【００６４】
表示システム１では、たとえば共通輝度範囲は、０以上２５．６以下であり、ディスプレイＮｏ．１のディスプレイ２０ａ用の個別輝度範囲は、２５．６よりも大きく５１．２以下であり、ディスプレイＮｏ．２のディスプレイ２０ｂ用の個別輝度範囲は、５１．２よりも大きく７６．８以下であり、ディスプレイＮｏ．３のディスプレイ２０ｃ用の個別輝度範囲は、７６．８よりも大きく１０２．４以下であり、ディスプレイＮｏ．４のディスプレイ２０ｄ用の個別輝度範囲は、１０２．４よりも大きく１２８以下であり、ディスプレイＮｏ．５のディスプレイ２０ｅ用の個別輝度範囲は、１２８よりも大きく１５３．６以下であり、ディスプレイＮｏ．６のディスプレイ２０ｆ用の個別輝度範囲は、１５３．６よりも大きく１７９．２以下であり、ディスプレイＮｏ．７のディスプレイ２０ｇ用の個別輝度範囲は、１７９．２よりも大きく２０４．８以下であり、ディスプレイＮｏ．８のディスプレイ２０ｈ用の個別輝度範囲は、２０４．８よりも大きく２３０．４以下であり、ディスプレイＮｏ．９のディスプレイ２０ｉ用の個別輝度範囲は、２３０．４よりも大きく２５６以下である。
【００６５】
個々のディスプレイ２０に相互に異なる画像を表示させる場合、たとえば、ディスプレイＮｏ．１のディスプレイ２０ａは、ディスプレイ特定用座標６１の位置の画素の輝度が、ディスプレイＮｏ．１のディスプレイ２０ａ用に設定された個別輝度範囲内、つまり２５．６より大きく５１．２以下のとき、受信した画像情報によって表される画像を表示し、外個別輝度範囲外、つまり２５．６以下、または５１．２よりも大きいとき、受信した画像情報によって表される画像を表示しない。
【００６６】
また、すべてのディスプレイ２０に同じ画像を表示させる場合、たとえば、各ディスプレイ２０は、ディスプレイ特定用座標６１が示す位置の画素の輝度が、共通輝度範囲内、つまり０以上２５．６以下のとき、受信した画像情報によって表される画像を表示する。
【００６７】
このように、各ディスプレイ２０は、ディスプレイ特定用座標６１が示す位置の画素の輝度が、共通輝度範囲内であるとき、または各ディスプレイ２０用に設定された個別輝度範囲であるとき、受信した画像情報によって表される画像を表示する。
【００６８】
図６は、マルチディスプレイ構成の表示システム１ａ，１ｃに表示するための画像６２の一例を示す図である。図７は、画像６２を等分に９分割した分割画像の一例を示す図である。画像６２は、５７６０×３２４０画素、つまり横５７６０画素および縦３２４０画素によって構成される画像である。ＰＣ１０は、画像６２を等分に９分割する。各分割画像６０ａ〜６０ｉは、いずれも１９２０×１０８０画素の画像である。ＰＣ１０には、各分割画像を、マルチディスプレイ構成における対応する位置にあるディスプレイ２０に表示することができるように、各分割画像の位置とディスプレイＮｏ．とが対応付けて、フラッシュメモリ４４に設定されている。
【００６９】
具体的には、画像に向かって最上段左端の分割画像、たとえば分割画像６２ａは、表示画面６０に向かって、最上段左端のディスプレイ２０、たとえばディスプレイ２０ａに表示するように設定されている。同様に、最上段中央の分割画像、たとえば分割画像６２ｂは、最上段中央のディスプレイ２０、たとえばディスプレイ２０ｂに表示するように設定されている。同様に、最上段右端の分割画像、たとえば分割画像６２ｃは、最上段右端のディスプレイ２０、たとえばディスプレイ２０ｃに表示するように設定されている。同様に、中段左端の分割画像、たとえば分割画像６２ｄは、中段左端のディスプレイ２０、たとえばディスプレイ２０ｄに表示するように設定されている。同様に、中段中央の分割画像、たとえば分割画像６２ｅは、中段中央のディスプレイ２０、たとえばディスプレイ２０ｅに表示するように設定されている。同様に、中段右端の分割画像、たとえば分割画像６２ｆは、中段右端画像に向かってのディスプレイ２０、たとえばディスプレイ２０ｆに表示するように設定されている。同様に、最下段左端の分割画像、たとえば分割画像６２ｇは、最下段左端のディスプレイ２０、たとえばディスプレイ２０ｇに表示するように設定されている。同様に、最下段中央の分割画像、たとえば分割画像６２ｈは、最下段中央のディスプレイ２０、たとえばディスプレイ２０ｈに表示するように設定されている。同様に、最下段右端の分割画像、たとえば分割画像６２ｉは、最下段右端のディスプレイ２０、たとえばディスプレイ２０ｉに表示するように設定されている。
【００７０】
ＰＣ１０は、各ディスプレイ２０に送信する画像情報によって表される画像、つまり各分割画像のディスプレイ特定用座標６１の画素の輝度を、その分割画像を表示させる各ディスプレイ２０用に設定されている個別輝度に変更して、すべてのディスプレイ２０に送信する。
【００７１】
図８は、各ディスプレイ２０に表示された分割画像の一例を示す図である。図８（ａ）は、画像６２の分割画像６２ａ〜６２ｉをディスプレイ２０に表示する前の状態である。いずれのディスプレイ２０にも分割画像６２ａ〜６２ｉは表示されていない。
【００７２】
図８（ｂ）は、分割画像６２ａをすべてのディスプレイ２０に送信したときに表示された状態である。分割画像６２ａのディスプレイ特定用座標６１の画素の輝度が、ディスプレイ２０ａ用の個別輝度範囲内の輝度にされているので、ディスプレイ２０ａのみが、分割画像６２ａを表示し、他のディスプレイ２０ｂ〜２０ｉは分割画像６２ａを表示しない。図８（ｃ）は、図８（ｂ）の状態になった後、分割画像６２ｂをすべてのディスプレイ２０に送信したときに表示された状態である。分割画像６２ｂのディスプレイ特定用座標６１の画素の輝度が、ディスプレイ２０ｂ用の個別輝度範囲内の輝度にされているので、ディスプレイ２０ｂのみが、分割画像６２ｂを表示し、他のディスプレイ２０ａ，２０ｃ〜２０ｉは分割画像６２ａを表示しない。
【００７３】
同様に、図８（ｄ）は、図８（ｃ）の状態になった後、分割画像６２ｃをすべてのディスプレイ２０に送信したときに表示された状態である。図８（ｅ）は、図８（ｄ）の状態になった後、分割画像６２ｄをすべてのディスプレイ２０に送信したときに表示された状態である。図８（ｆ）は、図８（ｅ）の状態になった後、分割画像６２ｅをすべてのディスプレイ２０に送信したときに表示された状態である。図８（ｇ）は、図８（ｆ）の状態になった後、分割画像６２ｆをすべてのディスプレイ２０に送信したときに表示された状態である。図８（ｈ）は、図８（ｇ）の状態になった後、分割画像６２ｇをすべてのディスプレイ２０に送信したときに表示された状態である。図８（ｉ）は、図８（ｈ）の状態になった後、分割画像６２ｈをすべてのディスプレイ２０に送信したときに表示された状態である。図８（ｊ）は、図８（ｉ）の状態になった後、分割画像６２ｉをすべてのディスプレイ２０に送信したときに表示された状態である。
【００７４】
図９は、スタンドアローン構成の表示システム１ｂ，１ｄに表示するための画像６５の一例を示す図である。図１０は、すべてのディスプレイ２０に表示させた画像６５の一例を示す図である。画像６５は、１９２０×１０８０画素、つまり横１９２０画素および縦１０８０画素によって構成される画像である。
【００７５】
ＰＣ１０は、画像６５のディスプレイ特定用座標６１が示す位置の画素の輝度を、共通輝度、たとえば輝度１２．８に変更し、変更後の画像６５を表す画像情報を、すべてのディスプレイ２０に送信する。いずれのディスプレイ２０ａ〜２０ｉも、受信した画像情報によって表される画像のディスプレイ特定用座標６１が示す位置の画素の輝度が、共通輝度範囲内、つまり０以上２５．６以下であるので、受信した画像情報によって表される画像を表示部５０に表示する。
【００７６】
図１０（ａ）は、ディスプレイ２０ａに表示された画像６５であり、図１０（ｂ）は、ディスプレイ２０ｂに表示された画像６５であり、図１０（ｃ）は、ディスプレイ２０ｃに表示された画像６５であり、図１０（ｄ）は、ディスプレイ２０ｄに表示された画像６５であり、図１０（ｅ）は、ディスプレイ２０ｅに表示された画像６５であり、図１０（ｆ）は、ディスプレイ２０ｆに表示された画像６５であり、図１０（ｇ）は、ディスプレイ２０ｇに表示された画像６５であり、図１０（ｈ）は、ディスプレイ２０ｈに表示された画像６５であり、図１０（ｉ）は、ディスプレイ２０ｉに表示された画像６５である。
【００７７】
図１１は、スタンドアローン構成の表示システム１ｂ，１ｄに表示するための９個の画像７１〜７９の一例を示す図である。画像７１〜７９は、いずれも１９２０×１０８０画素、つまり横１９２０画素および縦１０８０画素によって構成される画像である。
【００７８】
図１１（ａ）は、ディスプレイ２０ａに表示させるための画像７１であり、図１１（ｂ）は、ディスプレイ２０ｂに表示させるための画像７２であり、図１１（ｃ）は、ディスプレイ２０ｃに表示させるための画像７３であり、図１１（ｄ）は、ディスプレイ２０ｄに表示させるための画像７４であり、図１１（ｅ）は、ディスプレイ２０ｅに表示させるための画像７５であり、図１１（ｆ）は、ディスプレイ２０ｆに表示させるための画像７６であり、図１１（ｇ）は、ディスプレイ２０ｇに表示させるための画像７７であり、図１１（ｈ）は、ディスプレイ２０ｈに表示させるための画像７８であり、図１１（ｉ）は、ディスプレイ２０ｉに表示させるための画像７９である。
【００７９】
ＰＣ１０は、画像７１のディスプレイ特定用座標６１が示す位置の画素の輝度を、ディスプレイ２０ａ用の個別輝度、たとえば輝度３８．４に変更し、変更後の画像７１を表す画像情報を、すべてのディスプレイ２０に送信する。送信された変更後の画像７１のディスプレイ特定用座標６１が示す位置の画素の輝度が、ディスプレイ２０ａ用の個別輝度範囲内、つまり２５．６よりも大きく５１．２以下であるので、ディスプレイ２０ａのみが、変更後の画像７１を表示する。
【００８０】
同様に、ＰＣ１０は、画像７２〜７９についても、ディスプレイ特定用座標６１が示す位置の画素の輝度を、各ディスプレイ２０の個別輝度に変更し、変更後の画像７２〜画像７９を表す画像情報を、すべてのディスプレイ２０に送信する。各ディスプレイ２０は、送信された変更後の画像７２〜画像７９のうち、ディスプレイ特定用座標６１が示す位置の画素の輝度が、各ディスプレイ２０用の個別輝度範囲内の画像のみを表示する。
【００８１】
図１２は、各ディスプレイ２０ａ〜２０ｉに表示させた画像７１〜７９の一例を示す図である。図１２（ａ）は、ディスプレイ２０ａに表示させた画像７１であり、図１２（ｂ）は、ディスプレイ２０ｂに表示させた画像７２であり、図１２（ｃ）は、ディスプレイ２０ｃに表示させた画像７３であり、図１２（ｄ）は、ディスプレイ２０ｄに表示させた画像７４であり、図１２（ｅ）は、ディスプレイ２０ｅに表示させた画像７５であり、図１２（ｆ）は、ディスプレイ２０ｆに表示させた画像７６であり、図１２（ｇ）は、ディスプレイ２０ｇに表示させた画像７７であり、図１２（ｈ）は、ディスプレイ２０ｈに表示させた画像７８であり、図１２（ｉ）は、ディスプレイ２０ｉに表示させた画像７９である。
【００８２】
図１３は、ディスプレイ特定用座標６１に表示させる画素の輝度の算出方法を説明するための図である。各ディスプレイ２０が受信した画像情報によって表される画像の画素のうち、ディスプレイ特定用座標６１にある画素の輝度は、各ディスプレイ２０に、受信した画像情報によって表される画像を表示するか否かを指示するために用いられるディスプレイ特定用輝度に変更されている。したがって、ディスプレイ特定用座標６１にある画素の輝度は、ほとんどの場合、ディスプレイ特定用座標６１にあった元の画素の輝度とは異なった輝度となっており、周囲の画素の輝度と整合性のある輝度となっていない。
【００８３】
各ディスプレイ２０は、ディスプレイ特定用座標６１にある画素の輝度を、その画素の周囲の画素の輝度と整合性のある輝度とするため、周囲の画素の輝度に基づいて、ディスプレイ特定用座標６１に表示する画素の輝度を算出する。そして、各ディスプレイ２０は、受信した画像情報によって表される画像の画素のうち、ディスプレイ特定用座標６１にある画素の輝度を、算出した輝度の画素に置き換えて、受信した画像情報によって表される画像を表示部５０に表示する。
【００８４】
たとえば、図１３に示すように、ディスプレイ特定用座標６１が座標（０，０）である場合、座標（０，０）に表示する画素の輝度は、座標（１，０）の画素の輝度の２５％と、座標（０，１）の画素の輝度の２５％と、座標（２，０）の画素の輝度の１５％と、座標（１，１）の画素の輝度の１５％と、座標（０，２）の画素の輝度の１５％と、座標（２，１）の画素の輝度の５％と、座標（１，２）の画素の輝度の５％と、座標（２，２）の画素の輝度の５％とを加算した値とする。
【００８５】
図１４および図１５は、ＰＣ１０が処理する画像送信処理の処理手順を示すフローチャートである。グラフィックコントローラ１３は、ＰＣ１０の電源が投入され、動作可能状態になると、ステップＡ１に移る。
【００８６】
ステップＡ１では、グラフィックコントローラ１３は、配信データがＯＫであるか否かを判定する。配信データは、ディスプレイ２０に送信するための画像情報である。配信データがＯＫであるとは、各ディスプレイ２０に送信する画像情報の準備が整っていることであり、たとえばＰＣバスコネクタ１１を介して受信した画像情報が画像メモリ１２に記憶されていることである。グラフィックコントローラ１３は、配信データがＯＫであるとき、ステップＡ２に進み、配信データがＯＫでないとき、ステップＡ１に戻る。
【００８７】
ステップＡ２では、グラフィックコントローラ１３は、マルチディスプレイモードであるか否かを判定する。マルチディスプレイモードであるかスタンドアローンモードであるかは、ＰＣ１０に予め設定されている。具体的には、マルチディスプレイモードであるかスタンドアローンモードであるかを表すモード情報が、ＰＣ１０に含まれる図示しない記憶装置に記憶されており、グラフィックコントローラ１３は、モード情報を参照することによって、マルチディスプレイモードであるかスタンドアローンモードであるかを判定することができる。
【００８８】
マルチディスプレイモードは、図１Ａ（ａ）に示した表示システム１ａおよび図１Ｂ（ｃ）に示した表示システム１ｃのときに、設定されるモードであり、スタンドアローンモードは、図１Ａ（ｂ）に示した表示システム１ｂおよび図１Ｂ（ｄ）に示した表示システム１ｄのときに、設定されるモードである。グラフィックコントローラ１３は、マルチディスプレイモードであるとき、ステップＡ３に進み、マルチディスプレイモードでないとき、つまり、スタンドアローンモードであるとき、ステップＡ３０に進む。
【００８９】
ステップＡ３では、グラフィックコントローラ１３は、画像メモリ１２から、５７６０×３２４０画素の画像情報（以下「画像データ」ともいう）を読み出す。
【００９０】
ステップＡ４では、グラフィックコントローラ１３は、ディスプレイ構成モードを取得する。ディスプレイ構成モードは、マルチディスプレイ構成に関する情報のうち、垂直ディスプレイ構成数（以下「段数」ともいう）、および水平ディスプレイ構成数（以下「列数」ともいう）からなる構成情報であり、ＰＣ１０に予め設定されている。具体的には、ディスプレイ構成モードは、ＰＣ１０に含まれる図示しない記憶装置に、たとえば９面マルチディスプレイであれば、列数としてＨＤＩＳＰ＝３、および段数としてＶＤＩＳＰ＝３と記憶されている。グラフィックコントローラ１３は、図示しない記憶装置から、列数ＨＤＩＳＰ、および段数ＶＤＩＳＰをディスプレイ構成モードとして読み出す。
【００９１】
ステップＡ５では、グラフィックコントローラ１３は、最大表示を取得する。最大表示は、輝度の段階のうちの最大輝度を表す情報であり、ＰＣ１０に予め設定されている。具体的には、最大表示は、ＰＣ１０に含まれる図示しない記憶装置に、たとえばＣｏｌｏｒｓ＝２５６と記憶されている。グラフィックコントローラ１３は、図示しない記憶装置から、最大表示Ｃｏｌｏｒｓを読み出す。
【００９２】
ステップＡ６では、ディスプレイ指定部１９は、画像を表示させるディスプレイ２０が何段目であるかを表す変数Ｖに、第１段目であることを表す「１」を代入する。ステップＡ７では、ディスプレイ指定部１９は、画像を表示させるディスプレイ２０が何列目であるかを表す変数Ｈに、第１列目であることを表す「１」を代入する。
【００９３】
ステップＡ８では、ディスプレイ指定部１９は、ステップＡ３で読み出した画像データによって表される画像の画素のうち、第Ｖ列目第Ｈ段目のディスプレイ２０に送信する画像データによって表される画像の最初の画素のＸ方向の座標ＸＳ＝１９２０×（Ｈ−１）を算出する。図１４〜１６では、乗算記号「×」を「＊」で表わし、除算記号「÷」を「／」で表わす。ステップＡ９では、ディスプレイ指定部１９は、第Ｖ列目第Ｈ段目のディスプレイ２０に送信する画像データによって表される画像の最後の画素のＸ方向の座標ＸＥ＝（１９２０×Ｈ）−１を算出する。ステップＡ１０ではディスプレイ指定部１９は、第Ｖ列目第Ｈ段目のディスプレイ２０に送信する画像データによって表される画像の最初の画素のＹ方向の座標ＹＳ＝１０８０×（Ｖ−１）を算出する。ステップＡ１１では、ディスプレイ指定部１９は、第Ｖ列目第Ｈ段目のディスプレイ２０に送信する画像データによって表される画像の最後の画素のＹ方向の座標ＹＥ＝（１０８０×Ｖ）−１を算出する。
【００９４】
ステップＡ１２では、ディスプレイ指定部１９は、座標（ＸＳ，ＹＳ）および座標（ＸＥ，ＹＥ）を対角線の頂点とする領域内の画素によって構成される画像を切り出す。ステップＡ１３では、グラフィックコントローラ１３は、ディスプレイＮｏ．を表す変数ｍ＝ＨＤＩＳＰ×（Ｖ−1）＋Ｈを算出する。
【００９５】
ステップＡ１４では、ディスプレイ指定部１９は、最大表示Ｃｏｌｏｒｓを、マルチディスプレイを構成するディスプレイ２０の数に「１」を加算した値で除算して、単位輝度範囲ｌｕｍを算出する。すなわち、単位輝度範囲ｌｕｍは、ｌｕｍ＝Ｃｏｌｏｒｓ÷（（ＨＤＩＳＰ×ＶＤＩＳＰ）＋１）によって算出される。ステップＡ１５では、ディスプレイ指定部１９は、ディスプレイ特定用輝度ＤＩＳＰ＿ｌｕｍ（ｍ）＝ｌｕｍ÷２＋ｌｕｍ×ｍを算出する。
【００９６】
ステップＡ１６では、ディスプレイ特定用輝度重畳部１４は、座標（ＸＳ，ＹＳ）の画素に、ディスプレイ特定用輝度ＤＩＳＰ＿ｌｕｍ（ｍ）を書き込む。すなわち、ディスプレイ特定用輝度重畳部１４は、座標（ＸＳ，ＹＳ）の画素の輝度を、ディスプレイ特定用輝度ＤＩＳＰ＿ｌｕｍ（ｍ）に変更する。ステップＡ１７では、ディスプレイ特定用輝度重畳部１４は、座標（ＸＳ，ＹＳ）の画素の輝度を、ディスプレイ特定用輝度ＤＩＳＰ＿ｌｕｍ（ｍ）に変更した画像を出力する。すなわち、ディスプレイ特定用輝度重畳部１４は、座標（ＸＳ，ＹＳ）の画素の輝度を、ディスプレイ特定用輝度ＤＩＳＰ＿ｌｕｍ（ｍ）に変更した画像を表す画像データを、映像信号インタフェース２を介して、ディスプレイ２０に送信する。
【００９７】
映像信号インタフェース２がデジタル信号による映像信号インタフェースである場合は、ディスプレイ特定用輝度ＤＩＳＰ＿ｌｕｍ（ｍ）＝ｍとしてもよい。これは、映像信号インタフェース２がアナログ信号による映像信号インタフェースである場合に考慮しなければならない映像信号インタフェースでのノイズによる輝度の変動を考慮する必要がないからである。
【００９８】
ステップＡ１８では、ディスプレイ指定部１９は、画像を表示させるディスプレイ２０が何列目であるかを表す変数Ｈに「１」を加算する。ステップＡ１９では、ディスプレイ指定部１９は、変数ＨがＨＤＩＳＰ＋１に一致するか否かを判定する。ディスプレイ指定部１９は、変数ＨがＨＤＩＳＰ＋１に一致するとき、ステップＡ２０に進み、変数ＨがＨＤＩＳＰ＋１に一致しないとき、ステップＡ８に戻る。
【００９９】
ステップＡ２０では、ディスプレイ指定部１９は、画像を表示させるディスプレイ２０が何段目であるかを表す変数Ｖに「１」を加算する。ステップＡ２１では、ディスプレイ指定部１９は、変数ＶがＶＤＩＳＰ＋１に一致するか否かを判定する。ディスプレイ指定部１９は、変数ＶがＶＤＩＳＰ＋１に一致するとき、ステップＡ１に戻り、変数ＶがＶＤＩＳＰ＋１に一致しないとき、ステップＡ７に戻る。
【０１００】
ステップＡ３０では、グラフィックコントローラ１３は、送信モードがＤ＿ＮＯ指定であるか否かを判定する。送信モードは、Ｄ＿ＮＯ指定モードであるか連続モードであるかを表す情報であり、ＰＣ１０に予め設定されている。具体的には、送信モードは、ＰＣ１０に含まれる図示しない記憶装置に記憶されており、グラフィックコントローラ１３は、記憶装置を参照することによって、Ｄ＿ＮＯ指定モードであるか連続モードモードであるかを判定することができる。
【０１０１】
Ｄ＿ＮＯ指定モードは、ディスプレイＮｏ．を指定したディスプレイ２０のみに画像を表示させるモードである。ただし、ディスプレイＮｏ．を「０」とすることによって、すべてのディスプレイ２０に同じ画像を表示することができる。連続モードは、ディスプレイごとに相互に異なる画像を、それぞれのディスプレイ２０に表示させるモードである。グラフィックコントローラ１３は、送信モードがＤ＿ＮＯ指定であるとき、ステップＡ３１に進み、送信モードがＤ＿ＮＯ指定でないとき、つまり連続モードのとき、ステップＡ３７に進む。
【０１０２】
ステップＡ３１では、ユーザは、ＰＣ１０に含まれる図示しない操作部によって、画像情報を表示させるディスプレイ２０のディスプレイＮｏ．「ｍ」を指定する。ディスプレイ指定部１９は、ユーザが指定した「ｍ」を操作部から受け取る。ステップＡ３２では、グラフィックコントローラ１３は、１９２０×１０８０画素の画像データを画像メモリ１２から読み出す。
【０１０３】
ステップＡ３３では、ディスプレイ指定部１９は、単位輝度範囲ｌｕｍ＝Ｃｏｌｏｒｓ÷（（ＨＤＩＳＰ×ＶＤＩＳＰ）＋１）を算出する。ステップＡ３４では、ディスプレイ指定部１９は、ディスプレイ特定用輝度ＤＩＳＰ＿ｌｕｍ（ｍ）＝ｌｕｍ÷２＋ｌｕｍ×ｍを算出する。ステップＡ３５では、ディスプレイ特定用輝度重畳部１４は、座標（０，０）の画素に、ディスプレイ特定用輝度ＤＩＳＰ＿ｌｕｍ（ｍ）を書き込む。すなわち、ディスプレイ特定用輝度重畳部１４は、座標（０，０）の画素の輝度を、ディスプレイ特定用輝度ＤＩＳＰ＿ｌｕｍ（ｍ）に変更する。ステップＡ３６では、ディスプレイ特定用輝度重畳部１４は、座標（０，０）の画素の輝度を、ディスプレイ特定用輝度ＤＩＳＰ＿ｌｕｍ（ｍ）に変更した画像を出力して、ステップＡ１に戻る。すなわち、ディスプレイ特定用輝度重畳部１４は、座標（０，０）の画素の輝度を、ディスプレイ特定用輝度ＤＩＳＰ＿ｌｕｍ（ｍ）に変更した画像を表す画像データを、映像信号インタフェース２を介して、ディスプレイ２０に送信して、ステップＡ１に戻る。
【０１０４】
ステップＡ３７では、ディスプレイ指定部１９は、ディスプレイＮｏ．を表す変数ｍを、ｍ＝０とする。ステップＡ３８では、ディスプレイ指定部１９は、ディスプレイＮｏ．を表す変数ｍに「１」を加算する。ステップＡ３９では、グラフィックコントローラ１３は、ディスプレイＮｏ．ｍの１９２０×１０８０画素の画像データを画像メモリ１２から読み出す。画像メモリ１２には、各ディスプレイ２０に表示するための画像データが、ディスプレイＮｏ．ｍに関連付けて記憶されている。
【０１０５】
ステップＡ４０では、ディスプレイ指定部１９は、単位輝度範囲ｌｕｍ＝Ｃｏｌｏｒｓ÷（（ＨＤＩＳＰ×ＶＤＩＳＰ）＋１）を算出する。ステップＡ４１では、ディスプレイ指定部１９は、ディスプレイ特定用輝度ＤＩＳＰ＿ｌｕｍ（ｍ）＝ｌｕｍ÷２＋ｌｕｍ×ｍを算出する。ステップＡ４２では、ディスプレイ特定用輝度重畳部１４は、座標（０，０）の画素に、ディスプレイ特定用輝度ＤＩＳＰ＿ｌｕｍ（ｍ）を書き込む。すなわち、ディスプレイ特定用輝度重畳部１４は、座標（０，０）の画素の輝度を、ディスプレイ特定用輝度ＤＩＳＰ＿ｌｕｍ（ｍ）に変更する。ステップＡ４３では、ディスプレイ特定用輝度重畳部１４は、座標（０，０）の画素の輝度を、ディスプレイ特定用輝度ＤＩＳＰ＿ｌｕｍ（ｍ）に変更した画像を出力する。すなわち、ディスプレイ特定用輝度重畳部１４は、座標（０，０）の画素の輝度を、ディスプレイ特定用輝度ＤＩＳＰ＿ｌｕｍ（ｍ）に変更した画像を表す画像データを、映像信号インタフェース２を介して、ディスプレイ２０に送信する。
【０１０６】
ステップＡ４４では、ディスプレイ指定部１９は、変数ｍがディスプレイ総数に一致するか否かを判定する。ディスプレイ総数は、マルチディスプレイを構成するディスプレイ２０の数であり、たとえば９面マルチディスプレイの場合は「９」である。ディスプレイ指定部１９は、変数ｍがディスプレイ総数に一致するとき、ステップＡ１に戻り、変数ｍがディスプレイ総数に一致しないとき、ステップＡ３８に戻る。
【０１０７】
図１６は、ディスプレイ２０が処理する画像表示処理の処理手順を示すフローチャートである。内蔵マイコン３９は、ディスプレイ２０の電源が投入され、動作可能状態になると、ステップＢ１に移る。
【０１０８】
ステップＢ１では、内蔵マイコン３９は、ディスプレイ情報が未設定であるか否かを判定する。ディスプレイ情報は、ディスプレイの構成に関する情報であり、具体的には、水平ディスプレイ構成数、垂直ディスプレイ構成数、ディスプレイＮｏ．、および最大表示などの情報を含む。ディスプレイ情報は、図４に示したディスプレイ受信設定メニュー５５によって設定された情報であり、フラッシュメモリ４４に記憶される。内蔵マイコン３９は、ディスプレイ情報が未設定であるとき、ステップＢ２に進み、ディスプレイ情報が未設定でないとき、つまりすでに設定されているとき、ステップＢ４に進む。
【０１０９】
ステップＢ２では、内蔵マイコン３９は、図４に示したディスプレイ受信設定メニュー５５を表示部５０に表示して、ディスプレイＮｏ．の設定を行う。ステップＢ３では、内蔵マイコン３９は、ディスプレイ構成、つまり水平ディスプレイ構成数および垂直ディスプレイ構成数の設定を行う。ステップＢ２でのディスプレイＮｏ．の設定と、ステップＢ３でのディスプレイ構成の設定とは、設定の順序は逆であってもよい。
【０１１０】
ステップＢ４では、内蔵マイコン３９は、ディスプレイＮｏ．をフラッシュメモリ４４から読み込み、読み込んだディスプレイＮｏ．を、Ｄ＿ＮＯとする。ステップＢ５では、内蔵マイコン３９は、ディスプレイ２０のディスプレイ構成モードをフラッシュメモリ４４から読み込む。ディスプレイ２０のディスプレイ構成モードは、列数ＨＤＩＳＰおよび段数ＶＤＩＳＰを含む情報である。内蔵マイコン３９は、水平ディスプレイ構成数をフラッシュメモリ４４から読み込して列数ＨＤＩＳＰとし、垂直ディスプレイ構成数をフラッシュメモリ４４から読み込して段数ＶＤＩＳＰとする。ステップＢ６では、内蔵マイコン３９は、フラッシュメモリ４４から最大表示を読み込み、読み込んだ最大表示を、Ｃｏｌｏｒｓとする。
【０１１１】
ステップＢ７では、内蔵マイコン３９は、無条件で画像を更新して表示するか否かを判定するための全閾値ｌｕｍ（ａｌｌ）＝Ｃｏｌｏｒｓ÷（（ＨＤＩＳＰ×ＶＤＩＳＰ）＋１）を算出する。ステップＢ８では、内蔵マイコン３９は、ディスプレイＮｏ．Ｄ＿ＮＯのディスプレイ２０が画像を更新して表示する個別輝度範囲の下限の閾値ｌｕｍ（ｍｉｎ）＝Ｃｏｌｏｒｓ÷（（ＨＤＩＳＰ×ＶＤＩＳＰ）＋１）×Ｄ＿ＮＯを算出する。ステップＢ９では、内蔵マイコン３９は、ディスプレイＮｏ．Ｄ＿ＮＯのディスプレイ２０が画像を更新して表示する個別輝度範囲の上限の閾値ｌｕｍ（ｍａｘ）＝Ｃｏｌｏｒｓ÷（（ＨＤＩＳＰ×ＶＤＩＳＰ）＋１）×（Ｄ＿ＮＯ＋１）を算出する。
【０１１２】
図１４に示したフローチャートのステップＡ１４〜Ａ１６で、映像信号インタフェース２がデジタル信号による映像信号インタフェースである場合に、ＰＣ１０が、ディスプレイ特定用輝度ＤＩＳＰ＿ｌｕｍ（ｍ）＝ｍとしたときは、ステップＢ７〜Ｂ９の処理は不要である。
【０１１３】
ステップＢ１０では、内蔵マイコン３９は、同期信号を受信したか否かを判定する。同期信号は、ＰＣ１０から画像データを送信し終わったことを表す信号であり、たとえば図３に示したＣｌｏｃｋ信号によって指示される。内蔵マイコン３９は、同期信号を受信したとき、ステップＢ１１に進み、同期信号を受信しなかったとき、ステップＢ１０に戻る。
【０１１４】
ステップＢ１１では、内蔵マイコン３９は、座標（０，０）の画素の輝度データを取得する。輝度データは、輝度検出部３５から受け取った情報である。輝度検出部３５は、検出用座標指定部３４から、受信した画像データが座標（０，０）の画素であることを知らされたとき、座標（０，０）の画素の輝度を検出し、検出した輝度を表す輝度データを内蔵マイコン３９に送る。内蔵マイコン３９は、輝度検出部３５から受け取った輝度データによって表される輝度を、座標（０，０）の画素の輝度ｌｕｍ（０，０）とする。
【０１１５】
ステップＢ１２では、内蔵マイコン３９は、座標（０，０）の画素の輝度ｌｕｍ（０，０）が、全閾値ｌｕｍ（ａｌｌ）以下であるか否かを判定する。全閾値ｌｕｍ（ａｌｌ）は、共通輝度範囲の上限の値である。内蔵マイコン３９は、座標（０，０）の画素の輝度ｌｕｍ（０，０）が、全閾値ｌｕｍ（ａｌｌ）以下であるとき、ステップＢ１６に進み、座標（０，０）の画素の輝度ｌｕｍ（０，０）が、全閾値ｌｕｍ（ａｌｌ）以下でないとき、ステップＢ１３に進む。
【０１１６】
ステップＢ１３では、内蔵マイコン３９は、座標（０，０）の画素の輝度ｌｕｍ（０，０）が、下限の閾値ｌｕｍ（ｍｉｎ）よりも大きいか否かを判定する。内蔵マイコン３９は、座標（０，０）の画素の輝度ｌｕｍ（０，０）が、下限の閾値ｌｕｍ（ｍｉｎ）よりも大きいとき、ステップＢ１４に進み、座標（０，０）の画素の輝度ｌｕｍ（０，０）が、下限の閾値ｌｕｍ（ｍｉｎ）よりも大きくないとき、ステップＢ１５に進む。
【０１１７】
ステップＢ１４では、内蔵マイコン３９は、座標（０，０）の画素の輝度ｌｕｍ（０，０）が、上限の閾値ｌｕｍ（ｍａｘ）以下であるか否かを判定する。内蔵マイコン３９は、座標（０，０）の画素の輝度ｌｕｍ（０，０）が、上限の閾値ｌｕｍ（ｍａｘ）以下であるとき、ステップＢ１６に進み、座標（０，０）の画素の輝度ｌｕｍ（０，０）が、上限の閾値ｌｕｍ（ｍａｘ）以下でないとき、ステップＢ１５に進む。
【０１１８】
図１４に示したフローチャートのステップＡ１４〜Ａ１６で、映像信号インタフェース２がデジタル信号による映像信号インタフェースである場合に、ＰＣ１０が、ディスプレイ特定用輝度ＤＩＳＰ＿ｌｕｍ（ｍ）＝ｍとしたときは、ステップＢ１２では、ＤＩＳＰ＿ｌｕｍ（ｍ）＝０であるか否かを判定し、ＤＩＳＰ＿ｌｕｍ（ｍ）＝０であるとき、ステップＢ１６に進み、ＤＩＳＰ＿ｌｕｍ（ｍ）＝０でないとき、ステップＢ１３に進む。また、ステップＢ１３，１４の代わりに、ＤＩＳＰ＿ｌｕｍ（ｍ）＝Ｄ＿ＮＯであるか否かを判定し、ＤＩＳＰ＿ｌｕｍ（ｍ）＝Ｄ＿ＮＯであるであるとき、ステップＢ１６に進み、ＤＩＳＰ＿ｌｕｍ（ｍ）＝Ｄ＿ＮＯでないとき、ステップＢ１５に進む。
【０１１９】
ステップＢ１５では、内蔵マイコン３９は、映像データを保持し、更新することなく、ステップＢ１０に戻る。具体的には、内蔵マイコン３９は、イメージプロセッサ３８に画像の更新を支持しない。したがって、ＰＣ１０から受信した画像データによって表される画像は、表示部５０に表示されることなく、表示部５０に表示されている画像があれば、表示されている画像が継続して表示され、表示部５０に表示されている画像がなければ、画像を表示しない状態が維持される。
【０１２０】
ステップＢ１６では、内蔵マイコン３９は、座標（０，０）の輝度データを補正する。具体的には、内蔵マイコン３９は、図１３に示したように、座標（０，０）の画素の周囲の画素の輝度に基づいて、座標（０，０）の画素の輝度を算出する。内蔵マイコン３９は、算出した輝度を、イメージプロセッサ３８に送り、座標（０，０）の画素の輝度を、送った輝度に変更させる。
【０１２１】
ステップＢ１７では、内蔵マイコン３９は、映像データを更新して、ステップＢ１０に戻る。具体的には、内蔵マイコン３９は、画像の更新をイメージプロセッサ３８に指示する。イメージプロセッサ３８は、内蔵マイコン３９から画像の更新が指示されると、座標（０，０）の画素の輝度を変更した画像を表示部５０に表示して、ステップＢ１０に戻る。
【０１２２】
上述した実施形態では、ディスプレイ特定用座標６１を、座標（０，０）としたが、これに限定されるものではなく、座標（１９１９，０）、座標（０，１０７９）あるいは座標（１９１９，１０７９）など、画像の４隅の画素のいずれか１つであってもよいし、周縁の画素のうちの１つの画素であってもよい。
【０１２３】
また、上述した実施形態では、ディスプレイ特定用座標６１の画素の輝度を、ディスプレイ特定用座標６１の画素の周囲の画素の輝度から算出しているが、目立たない予め定める輝度、たとえば輝度０としてもよい。
【０１２４】
このように、表示システム１は、複数の画素によって構成される画像を表示するための表示画面を有する複数のディスプレイ２０と、各ディスプレイ２０の表示画面に表示させる画像を表す画像情報を各ディスプレイ２０に送信するＰＣ１０とを含む。ＰＣ１０は、各ディスプレイ２０に送信する画像情報によって表される画像を各ディスプレイ２０に表示させるか否かに応じて、送信する画像情報によって表される画像を構成する画素うち、表示画面のディスプレイ特定用座標６１に表示させるための画素の輝度を決定し、ディスプレイ特定用座標６１に表示させるための画素を前記決定した輝度の画素に置き換え、ディスプレイ特定用座標６１の画素が前記決定した輝度の画素に置き換えられた画像を表す画像情報をディスプレイ２０に送信する。そして、各ディスプレイ２０は、ＰＣ１０から画像情報を受信したとき、前記置き換えられた、ディスプレイ特定用座標６１に表示するための画素の輝度に応じて、受信した画像情報によって表される画像を表示するか否かを制御する。したがって、ＰＣ１０は、画像情報を送信するだけで各ディスプレイに画像を表示させるか否かを制御することができる。
【０１２５】
さらに、各ディスプレイ２０は、前記置き換えられた、ディスプレイ特定用座標６１に表示するための画素の輝度が予め定める輝度範囲内あるか否かを判定し、前記置き換えられた、ディスプレイ特定用座標６１に表示するための画素の輝度が予め定める輝度範囲内あるとき、前記受信した画像情報によって表される画像を表示する。したがって、表示システム１は、予め定める輝度範囲をディスプレイ２０ごとに定めることによって、各ディスプレイ２０を個々に制御することができる。
【０１２６】
さらに、各ディスプレイ２０は、前記受信した画像情報によって表される画像を表示するとき、ディスプレイ特定用座標６１の画素の輝度をディスプレイ特定用座標６１の画素の周囲の画素の輝度に基づいて変更し、変更した輝度の画素を表示する。したがって、表示システム１は、特定位置の画素の輝度と周囲の画素の輝度との違和感を無くすることができる。
【０１２７】
さらに、各ディスプレイ２０は、前記受信した画像情報によって表される画像を表示するとき、ディスプレイ特定用座標６１の画素の輝度を予め定める輝度に変更し、変更した輝度の画素を表示する。したがって、表示システム１は、ディスプレイ特定用座標６１の画素の輝度の変更を、周囲の画素の輝度に基づいて変更する場合よりも、短時間に行うことができる。
【０１２８】
さらに、前記予め定める輝度は、輝度「０」である。したがって、表示システム１は、周囲の画素の輝度との違和感をより低減することができる。
【０１２９】
さらに、ディスプレイ特定用座標６１は、表示画面の端部の画素の位置である。したがって、表示システム１は、画像全体の中での影響をより低減することができる。
【０１３０】
さらに、複数のディスプレイ２０は、ＰＣ１０からデイジーチェインで接続される。したがって、表示システム１は、ＰＣ１０側の接続数を１つにすることができる。
【符号の説明】
【０１３１】
１  表示システム
２  映像信号インタフェース
３  ＲＳ−２３２Ｃインタフェース
４ｃ，４ｄ，９３  分配器
１０，９１  ＰＣ
１１  ＰＣバスコネクタ
１２  画像メモリ
１３  グラフィックコントローラ
１４  ディスプレイ特定用輝度重畳部
１５  Ｄ／Ａコンバータ
１６，２３  ＤＶＩ／ＨＤＭＩトランスミッタＩＣ
１７，２６  アナログ信号出力コネクタ
１８，２１  デジタル信号出力コネクタ
１９  ディスプレイ指定部
２０，９２  ディスプレイ
２２  デジタル信号入力コネクタ
２４  ＤＶＩ／ＨＤＭＩレシーバＩＣ
２５  アナログ信号入力コネクタ
２７，２８  アナログ信号用バッファＩＣ
２９  Ａ／Ｄコンバータ
３０  ＰＬＬ
３１〜３３  セレクタ
３４  検出用座標指定部
３５  輝度検出部
３６  画像メモリ
３７  メモリコントローラ
３８  イメージプロセッサ
３９  内蔵マイコン
４０  ＲＯＭ
４１  ＲＡＭ
４２  内部バス
４３  ＩＲ
４４  フラッシュメモリ
４５，４６  ＲＳ−２３２ＣドライバＩＣ
４７  ＲＳ−２３２Ｃ入力用コネクタ
４８  ＲＳ−２３２Ｃ出力用コネクタ
４９  ＬＶＤＳ
５０  表示デバイス
５１  ＬＡＮ制御用ＰＨＹ
５２  ＬＡＮコネクタ
５３  スケーラ
９０  表示装置
【図１Ａ】
2013025201.tif 000003
【図１Ｂ】
2013025201.tif 000004
【図２】
2013025201.tif 000005
【図３】
2013025201.tif 000006
【図５】
2013025201.tif 000007
【図１３】
2013025201.tif 000008
【図１４】
2013025201.tif 000009
【図１５】
2013025201.tif 000010
【図１６】
2013025201.tif 000011
【図１７】
2013025201.tif 000012
【図４】
2013025201.tif 000013
【図６】
2013025201.tif 000014
【図７】
2013025201.tif 000015
【図８】
2013025201.tif 000016
【図９】
2013025201.tif 000017
【図１０】
2013025201.tif 000018
【図１１】
2013025201.tif 000019
【図１２】
2013025201.tif 000020